(57)【特許請求の範囲】
【請求項１】
長手方向軸線を有し、且つ、ほぼＵ形断面を有し、２つの足が各々その近位端でベースの同じ側に取り付けられたキャリヤに受け入れられる第一の厚さを有する光導波路又は光導波路の束を備えた光導波路ケーブルであって、
各々のキャリヤ足は、キャリヤベースから第一の厚さより大きい距離にある所定のヒンジラインを有し、
長手方向軸線から半径方向に外側に向かって、ベースから延び、キャリヤ足の部分がヒンジライン近くで折れ曲がり、キャリヤ内の光導波路又は光導波路の束の圧潰を防止する
光導波路ケーブル。
【請求項２】
少なくとも１つのキャリヤ足が、所定のヒンジラインとベースとの間及び所定のヒンジラインと遠位端との間の点の厚さより薄い所定のヒンジラインの厚さを有する請求項１に記載の光導波路ケーブル。
【請求項３】
少なくとも１つのキャリヤ足の壁面が、所定のヒンジラインに沿って凹部を有する請求項１に記載の光導波路ケーブル。
【請求項４】
キャリヤ足の所定のヒンジラインが、２つの隣接する同一平面にない壁面の境界となる請求項１に記載の光導波路ケーブル。
【請求項５】
前記少なくとも１つのキャリヤ足は、それの遠位端から所定のヒンジラインに沿って幅広から幅狭にテーパーが付いていて、所定のヒンジラインから近位端まで一定の厚さを有する請求項１に記載の光導波路ケーブル。
【請求項６】
長手方向軸線を有し、且つ、ほぼＵ形断面を有し、２つの足が各々その近位端でベースの同じ側に取り付けられたキャリヤを備えた光導波路ケーブルであって、キャリヤは、マトリックス材料内に並んで保持される複数の光導波路を備えた少なくとも１つのリボンユニットを保持し、前記リボンユニットは、一対のメジャー面及びメジャー面の幅より小さいメジャー面間の厚さを有し、
各々のキャリヤ足は、長手方向軸線から半径方向に外側に向かって、ベースから延び、キャリヤベースから単一又は複数のリボンユニットの厚さの合計より大きい距離にある所定のヒンジラインを有し、
少なくとも一つのキャリヤ足は、キャリヤベースから単一又は複数のリボンユニットの厚さの合計より大きい距離にある所定のヒンジラインの厚さを有し、
少なくとも一つのキャリヤ足は、所定のヒンジラインとベースとの間の点でのキャリヤ足の厚さより薄く、且つ、所定のヒンジラインとキャリヤ足の遠位端との間の点での厚さよりも薄い所定のヒンジラインの厚さを有し、
キャリヤ足の部分がヒンジライン近くで折れ曲がり、キャリヤ内の単一又は複数のリボンユニットの圧潰を防止する
光導波路ケーブル。
【請求項７】
少なくとも１つのキャリヤ足が、所定のヒンジラインとベースとの間及び所定のヒンジラインと遠位端との間の点の厚さより薄い所定のヒンジラインの厚さを有する請求項６に記載の光導波路ケーブル。
【請求項８】
前記少なくとも１つのキャリヤ足の外壁面が、所定のヒンジラインに沿って凹部を有する請求項６に記載の光導波路ケーブル。
【請求項９】
キャリヤ足の所定のヒンジラインが、２つの隣接する同一平面にない壁面の境界となる請求項６に記載の光導波路ケーブル。
【請求項１０】
前記少なくとも１つのキャリヤ足は、それの遠位端から所定のヒンジラインに沿って幅広から幅狭にテーパーが付いていて、所定のヒンジラインから近位端まで一定の厚さを有する請求項６に記載の光導波路ケーブル。
【請求項１１】
ほぼＵ形断面を有し、２つの足が各々その近位端でベースの同じ側に取り付けられたキャリヤに受け入れられる第一の厚さを有する光導波路又は光導波路の束を各々有する層の構成要素に少なくとも部分的に囲まれた中央コアを備えた光導波路ケーブルであって、
各々のキャリヤ足は、中央コアに関して半径方向に外側に向かって、ベースから延び、キャリヤベースから第一の厚さより大きい距離にある所定のヒンジラインを有し、
キャリヤ足の部分がヒンジライン近くで折れ曲がり、キャリヤ内の光導波路又は光導波路の束の圧潰を防止する
光導波路ケーブル。
【請求項１２】
少なくとも１つのキャリヤ足が、所定のヒンジラインとベースとの間及び所定のヒンジラインと遠位端との間の点の厚さより薄い所定のヒンジラインの厚さを有する請求項１１に記載の光導波路ケーブル。
【請求項１３】
前記少なくとも１つのキャリヤ足の壁面が、所定のヒンジラインに沿って凹部を有する請求項１１に記載の光導波路ケーブル。
【請求項１４】
キャリヤ足の所定のヒンジラインが、２つの隣接する同一平面にない壁面の境界となる請求項１１に記載の光導波路ケーブル。
【請求項１５】
前記少なくとも１つのキャリヤ足は、それの遠位端から所定のヒンジラインに沿って幅広から幅狭にテーパーが付いていて、所定のヒンジラインから近位端まで一定の厚さを有する請求項１１に記載の光導波路ケーブル。
【請求項１６】
ほぼＵ形断面を有し、２つの足が各々その近位端でベースの同じ側に取り付けられたキャリヤを各々備えた層の構成要素に少なくとも部分的に囲まれた中央コアを備えた光導波路ケーブルであって、
キャリヤは、マトリックス材料内に並んで保持される複数の光導波路を備えた少なくとも１つのリボンユニットを保持し、
前記リボンユニットは、一対のメジャー面及びメジャー面の幅より小さいメジャー面間の厚さを有し、
各々のキャリヤ足は、中央コアに関して半径方向に外側に向かって、ベースから延び、キャリヤベースから、キャリヤ内に配置された単一又は複数のリボンユニットの厚さの合計より大きい距離にある所定のヒンジラインを有し、
キャリヤ足の部分がヒンジライン近くで折れ曲がり、キャリヤ内の単一又は複数のリボンユニットの圧潰を防止する
光導波路ケーブル。
【請求項１７】
少なくとも１つのキャリヤ足が、所定のヒンジラインとベースとの間及び所定のヒンジラインと遠位端との間の点の厚さより薄い所定のヒンジラインの厚さを有する請求項１６に記載の光導波路ケーブル。
【請求項１８】
前記少なくとも１つのキャリヤ足の壁面が、所定のヒンジラインに沿って凹部を有する請求項１６に記載の光導波路ケーブル。
【請求項１９】
キャリヤ足の所定のヒンジラインが、２つの隣接する同一平面にない壁面の境界となる請求項１６に記載の光導波路ケーブル。
【請求項２０】
前記少なくとも１つのキャリヤ足は、それの遠位端から所定のヒンジラインに沿って幅広から幅狭にテーパーが付いていて、所定のヒンジラインから近位端まで一定の厚さを有する請求項１６に記載の光導波路ケーブル。
【請求項２１】
長手方向軸線を有し、且つ、ほぼＵ形断面を有し、２つの足が各々その近位端でベースの同じ側に取り付けられたキャリヤを備えた光導波路ケーブルであって、
キャリヤは、マトリックス材料内に並んで保持される複数の光導波路を備えた少なくとも１つのリボンユニットを保持し、
各々のリボンユニットは、一対のメジャー面及びメジャー面の幅より小さいメジャー面間の厚さを有し、
各々のキャリヤ足は、長手方向軸線に関して半径方向に外側に向かって、ベースから延び、その近位端から、キャリヤ内に配置された単一又は複数のリボンユニットの厚さの合計より大きいキャリヤベースからの距離のラインまでほぼ一定の厚さを有し、各々のキャリヤ足は、前記ラインから遠位端まで厚さにテーパーが付き、
キャリヤ足の部分がライン近くで折れ曲がり、単一又は複数のリボンユニットの圧潰を防止する
光導波路ケーブル。
【発明の詳細な説明】
【０００１】
【従来の技術】
Ｕ形キャリヤは、光導波路ケーブルに使用され、特に、多数のファイバーが使用される光導波路リボンを有するケーブルに使用されてきた。Ｕ形キャリヤは、２つの足を備え、各々の足は、ベースの同じ側に、その近位端が取り付けられる。各々の足の他端は、遠位端と呼ばれ、通常、上に位置するバインダーテープ又は他のケーブル層を支える。各々の足は、他方の足に面する内壁及び他方の足と反対側の外壁を有する。
Ｕ形キャリヤを有するケーブルは、溝が付けられたコアケーブルに対して加工上の利点を有するが、圧潰テストの要求が、Ｕ形キャリヤを使用するケーブル独自の問題を呈す。加圧下で、キャリヤは倒れ、又はＵ形キャリヤの足は変形し、又は壊れる。キャリヤの破壊は、その中に保持される光導波路リボンの伝送故障という結果になる。厳しい状況の故障によると、光導波路リボンはねじれ、又は圧潰し、容認されない減衰が起きるかもしれない。例として、キャリヤ足は壊れ、又はベースに結合しているその近位端で曲がる。もし、これが起きると、リボンは、おそらく折り曲げられた足により、（もし、足がキャリヤの他方の足の方へ内側に曲がると）上から圧迫され、又は（もし、足が外側に曲がると）上に位置するケーブル層により圧迫される。
【０００２】
【発明が解決しようとする課題】
発明の目的は、キャリヤ強度全体を犠牲にせずに、その中に保持されるリボンへの影響を予想できる最も小さな故障状態になるように圧潰する光ケーブルを設計することである。
【０００３】
【課題を解決するための手段】
発明の目的は、キャリヤ足に所定のヒンジラインを与えることにより達成される。ここで使われる“ヒンジライン”の語は、キャリヤに不可逆性の破壊的構造変化が起きるに十分な圧力を受けたとき、キャリヤ足が曲がるラインを意味する。そのような圧力が、本発明によるキャリヤに与えられたとき、ヒンジラインと遠位端との間のキャリヤ足の部分が、内側又は外側のいずれかに曲がる。ヒンジラインは、キャリヤベースから、キャリヤ内に保持される光導波路リボン、リボンスタック、光導波路又は光導波路の束の厚さより大きい距離にあるので、キャリヤベースとヒンジラインとの間のキャリヤ足の残りの断端(stump) が、キャリヤ内の光要素のために比較的安全な場所を与えるために残っている。
キャリヤが単一又は複数の光導波路リボンを保持すると、ヒンジラインは、キャリヤベースから単一又は複数のリボンユニットの厚さの合計より大きい距離に位置決めされる。リボンユニットの厚さは、リボンユニットのメジャー(major) 面間の距離である。キャリヤが光導波路又は光導波路の束を保持すると、導波路又は束の厚さは、測定され、ヒンジラインは、キャリヤベースからその厚さより大きい距離に位置決めされる。どちらの場合も、単一又は複数の光導波路要素は、キャリヤの断端(stump) が無傷に残っているならば、キャリヤ内に収容されたままである。
【０００４】
キャリヤ足ヒンジラインはいくつかの方法で設計される。１つの方法は、足をヒンジラインで細くし、足は、ヒンジラインとベースとの間、ヒンジラインと足の遠位端との間の点で厚くなる。凹部が、足においてヒンジラインにあっても良い。足は、ヒンジラインで不連続であっても良い。このような不連続は、ベースからヒンジラインまで一定の厚さの足であって、それから、足の遠位端からヒンジラインへ幅広から幅狭へテーパーが付いている。この最後の配置が、多くの場合で理想的と思われる。なぜならば、ヒンジラインとベースとの間の間の厚さを犠牲にすることなく、故障状態の予想が可能であるという利点が得られるからである。別の方法は、キャリヤ足のベースとヒンジラインとの間を一定の厚さにし、それから、足の遠位端へ薄くなるように、厚さにテーパーを付ける。
多くの場合、故障の理想的な状態は、キャリヤ足の両方が、内側に折れ曲がり、リボン上に屋根のようなものを提供することである。
キャリヤ足の形状の変更は、全ての場合、希望する方法で、キャリヤ押出ダイを形どることにより可能である。
【０００５】
【実施例】
従来技術のＵ形キャリヤ１１が、図１に示されている。キャリヤ１１は、ベース１２とベース１２の同じ側に取り付けられた足１６、１７とからなる。足１７は、ベース１２に取り付けられた近位端１８及び遠位端１４を有する。足１７は、足１６に面する内壁面１５及び足１６と反対側の外壁面１３を有する。足１６は、足１７と本質的に同じ特徴を有する。
図２、３、４はキャリヤ１１内に置かれる光学要素を示す。図２に示される光導波路１９は、厚さＴを有する。図３に示される光導波路の束２０は、チューブ、糸、又はテープ２７により束ねられた複数の光導波路を備える。複数の光導波路２６を各々有するリボンのリボンスタックが、図４に示され、光導波路２６は、番号２４、２５のような一対のメジャー(major) 面、及びメジャー(major) 面間の厚さ２１、２２又は２３を有する材料内に並んで埋め込まれる。厚さ２１は、メジャー(major) 面２４及び２５の幅より小さい。リボンスタック２９Ｔの厚さは、厚さ２１、２２及び２３の合計である。要素１９、２０及び２９のいずれも、キャリヤ１１内に置かれ、図５、６、７、８及び９に示されるキャリヤのいずれも、その中に要素１９、２０又は２９を収容する。
【０００６】
図５に示されるキャリヤ１１は、厚さＴを有するリボンスタック２９を収容する。キャリヤ足１７は、リボンスタック２９に面するベース１２の上面の近位端１８から測定された、キャリヤベース１２からのある距離（ＴプラスＸ）に置かれた所定のヒンジライン３０を有する。所定のヒンジライン３０の形態が、図６乃至９の主題である。
図６に示される第一実施例において、Ｕ形キャリヤ５４は、ベース１２とその近位端でベース１２に各々取り付けられた２つの足とを有する。各々の足は、その遠位端から所定のヒンジラインへ、幅広から幅狭へテーパーがついていて、ヒンジライン３１で、各々の足の外側壁は、向きが変わる。ヒンジライン３１より上の外側壁の部分は、ヒンジライン３１より下の外側壁と同一平面上にない。各々の足は、所定のヒンジライン３１から近位端へ一定の厚さを有する。ヒンジライン３１は、ベース１２からリボンスタック２９の厚さより大きい距離にある。
図７に示される第二実施例において、Ｕ形キャリヤ５５の各々の足は、その外側壁の所定のヒンジラインに凹部３３を有する。凹部３３は、ベース１２からリボンスタック２９の厚さより大きい距離にある。凹部の深さは、壁が内側に折れ曲がってしまうので、所定の量より大きくできない。
【０００７】
図８に示される第三実施例において、Ｕ形キャリヤ５６は、ベース１２と２つの足とを有し、２つの足の各々が、その近位端からライン３４へほぼ一定の厚さを有し、ライン３４は、リボンスタック２９の厚さより大きく、各々の足は、ライン３４からその遠位端へテーパーが付いている。ライン３４は、リボンスタック２９の厚さより大きいベース１２からの距離を置いている。
図９に示される第四の実施例において、所定のヒンジライン３５は、ベース１２からリボンスタック２９の厚さより大きい距離の位置にある。各々のキャリヤ足のライン３５での厚さは、ライン３５と足の遠位端との間の点３６の厚さ及びライン３５とベース１２との間の点３７の厚さより薄い。
４つの実施例の組合せが、使われても良い。多くの場合に良く作動する例は、第一実施例及び第二実施例の組合せであり、それは、図６に示された第一実施例に、所定のヒンジラインで外壁に細い凹部を有するものである。
図１０に示されるケーブルは、プラスチックのコーティング４８により覆われた縒られた中央強化部材コアを有する中央部材４０を含む。中央部材４０は、光導波路、光導波路の束すなわち光導波路リボンを各々保持するＵ形キャリヤ４１の第一層、バインダーテープ４２、水分防止テープ４３、光導波路、光導波路の束又は光導波路リボンを各々保持するＵ形キャリヤ６１の第二層、第二バインダーテープ４４、第二水分防止テープ４５、リップコード４６及びプラスチックジャケット４７により覆われている。図１０の各々のＵ形キャリヤは、図６乃至９の実施例のいずれにより作られても良い。
【０００８】
図１１において、実施例のいずれにも示されているＵ形キャリヤ５４は、適当に形どられたダイを有する押出機５０の使用により作られる。キャリヤ５４は、押出機５０から冷却媒体５１へ進む。それから、キャリヤ５４は、折り曲げ装置５２に引き込まれ、ドラム５３上へ曲げられる。キャリヤ５４は、HDPE、アモルファスナイロン、ポリスルホン、ポリカーボネート、ポリアリスルホンのような適当なプラスチック、又はそのようなプラスチックの層又はコポリマーで作られる。特に、水槽が使用されるならば、ときどき、キャリヤ足を下向きに向けることが有用である。
図１０のケーブルに対応するケーブルの製造方法は、Siamans AGに与えられた米国特許第5,210,813 に開示されていて、その特許は、ここで援用されている。ケーブルが、S-Z 縒り又は剛性フレーム縒り(rigid frame stranding) により製造される。
【図面の簡単な説明】
【図１】従来技術のリボンキャリヤの断面図である。
【図２】従来技術の光導波路の断面図である。
【図３】従来技術の光導波路の束の断面図である。
【図４】従来技術の光導波路リボンスタックの断面図である。
【図５】光導波路リボンスタックを有する発明によるＵ形キャリヤの断面図である。
【図６】第一実施例によるＵ形キャリヤの断面図である。
【図７】第二実施例によるＵ形キャリヤの断面図である。
【図８】第三実施例によるＵ形キャリヤの断面図である。
【図９】第四実施例によるＵ形キャリヤの断面図である。
【図１０】発明による光導波路ケーブルの断面図である。
【図１１】発明によるＵ形キャリヤを作るための工程ラインの略図である。
【符号の説明】
１１  Ｕ形キャリヤ
１２  ベース
１３  外壁面
１４  遠位端
１５  内壁面
１６  足
１７  足
１８  近位端
１９  光導波路
２０  光導波路の束
２１  厚さ
２２  厚さ
２３  厚さ
２４  メジャー面
２５  メジャー面
２６  複数の光導波路
２７  テープ
２８  複数の光導波路
２９  リボンスタック
３０  ヒンジライン
３１  ヒンジライン
３３  凹部
３４  ヒンジライン
３５  ヒンジライン
３６  点
３７  点
４０  中央部材
４１  Ｕ形キャリヤ
４２  バインダーテープ
４３  水分防止部材
４４  第二バインダーテープ
４５  第二水分防止部材
４６  リップコード
４７  プラスチックジャケット
４８  コーティング
５０  押出機
５１  冷却部材
５２  折り曲げ装置
５３  ドラム
５４  Ｕ形キャリヤ
５５  Ｕ形キャリヤ
６１  Ｕ形キャリヤ
【図１】
0003805407.tif 000002
【図２】
0003805407.tif 000003
【図３】
0003805407.tif 000004
【図４】
0003805407.tif 000005
【図５】
0003805407.tif 000006
【図６】
0003805407.tif 000007
【図７】
0003805407.tif 000008
【図８】
0003805407.tif 000009
【図９】
0003805407.tif 000010
【図１０】
0003805407.tif 000011
【図１１】
0003805407.tif 000012